(57)【特許請求の範囲】
【請求項１】
水を貯留する水槽（１）に水槽（１）内の水を吸い上げる手動式のプランジャーポンプ（２）を取り付け、このプランジャーポンプ（２）の吐出口（１２ｄ′）に逆止弁（１８）を設けると共に、当該逆止弁（１８）に圧力計（３）のゲージ台（４）を接続して成り、前記プランジャーポンプ（２）により加圧した水を被テスト管（Ｐ）に送水して被テスト管（Ｐ）の水漏れを検査するようにした水圧テスト用ポンプに於いて、前記水槽（１）は、上方を開放したプラスチック製の箱状の水槽本体（１Ａ）と、水槽本体（１Ａ）の上端部に水平姿勢で固定され、プランジャーポンプ（２）が取り付けられる平板状の金属製の支持板（１Ｂ）とから成り、前記水槽本体（１Ａ）内に、水槽本体（１Ａ）内の空間を二分割すると共に、前記支持板（１Ｂ）の外周縁部を水槽本体（１Ａ）の側壁とで一緒に支持する支持用垂直壁（１ａ）を一体的に形成し、当該支持用垂直壁（１ａ）に、二分割された水槽本体（１Ａ）内の空間を連通する開口（１ａ′）を形成し、また、前記逆止弁（１８）は、プランジャーポンプ（２）の吐出口（１２ｄ′）に着脱自在に接続され、内方に流通孔（２４ａ）を形成した隔壁（２４ｂ）を備えた筒状のバルブ本体（２４）と、吐出口（１２ｄ′）の周囲に配置され、バルブ本体（２４）により吐出口（１２ｄ′）の周囲に押圧される環状のバルブシート（２５）と、バルブシート（２５）と吐出口（１２ｄ′）の周囲との間をシールするＯリング（２２）と、バルブ本体（２４）の隔壁（２４ｂ）に軸線方向へ移動自在に支持され、バルブシート（２５）に当離座してバルブシート（２５）の開口を開閉し得る弁体（２６）と、バルブ本体（２４）の隔壁（２４ｂ）と弁体（２６）との間に介設され、弁体（２６）をバルブシート（２５）に当座すべく附勢するスプリング（２７）とから成り、プランジャーポンプ（２）の吸引作用時に閉じ、プランジャーポンプ（２）の吐出作用時に開くように構成されていることを特徴とする水圧テスト用ポンプ。
【請求項２】
前記プランジャーポンプ（２）は、水槽（１）に固定されて吸水口（１２ｃ′）及び吐出口（１２ｄ′）並びに水充填口（１２ｅ）を備えたシリンダスタンド（１２）と、シリンダスタンド（１２）に起立姿勢で着脱自在に螺着されてプランジャー（１４）が挿入されるシリンダパイプ（１３）と、シリンダパイプ（１３）内にシールされた状態で上下方向へ往復移動自在に挿入されたプランジャー（１４）と、先端部側がプランジャー（１４）の上端部に上下方向へ揺動自在に連結され、プランジャー（１４）を上下方向へ往復動させる操作ハンドル（１５）と、上端部及び下端部が操作ハンドル（１５）の先端部及びシリンダスタンド（１２）にそれぞれ揺動自在に連結されたリンク（１６）と、シリンダスタンド（１２）の吸水口（１２ｃ′）を開閉する吸水弁（１７）と、シリンダスタンド（１２）の吐出口（１２ｄ′）を開閉する逆止弁（１８）とから成り、前記シリンダパイプ（１３）及びプランジャー（１４）を直径の異なる別のシリンダパイプ（１３）及びプランジャー（１４）と交換できる構成とし、また、プランジャー（１４）の外周面に複数列のＯリング溝（１４ａ）を形成し、各Ｏリング溝（１４ａ）に嵌め込んだＯリング（２２）によりシリンダパイプ（１３）の内周面とプランジャー（１４）の外周面との間をシールするようにしたことを特徴とする請求項１に記載の水圧テスト用ポンプ。
【請求項３】
前記シリンダスタンド（１２）の内部に、プランジャーポンプ（２）の吸引作用時に開き、プランジャーポンプ（２）の吐出作用時に閉じる吸水弁（１７）を設け、前記吸水弁（１７）は、吸水口（１２ｃ′）の周囲に形成した弁座（１７ａ）と、シリンダスタンド（１２）内に挿入され、弁座（１７ａ）に当座又は弁座（１７ａ）から離座するボール（１７ｂ）とから成り、ボール（１７ｂ）が自重により弁座（１７ａ）へ当座するように構成されていることを特徴とする請求項２に記載の水圧テスト用ポンプ。
【請求項４】
圧力計（３）のゲージ台（４）の流出口にニップル（６）を接続し、当該ニップル（６）の下流側端部にテスト用止水栓（７）を取り付けてニップル（６）を閉塞したことを特徴とする請求項１に記載の水圧テスト用ポンプ。
【発明の詳細な説明】
【技術分野】
【０００１】
本発明は、主に給・排水用の配管やスプリンクラー設備の配管等の被テスト管に着脱自在に接続され、被テスト管に加圧した水を供給して被テスト管の水漏れを検査するようにした水圧テスト用ポンプに係り、特に、手動式のプランジャーポンプを用いた携帯型の水圧テスト用ポンプの改良に関するものである。
【背景技術】
【０００２】
従来、この種の水圧テスト用ポンプとしては、本件出願人が先に開発した水圧テスト用ポンプが知られている（例えば、特許文献１参照）。
【０００３】
即ち、前記水圧テスト用ポンプは、図８に示す如く、水を貯留する水槽３０と、水槽３０の支持板３１に起立姿勢で取り付けた手動式のプランジャーポンプ３２と、プランジャーポンプ３２の吐出口側に接続された上流側のボールバルブ３３と、上流側のボールバルブ３３に接続された圧力計３４のゲージ台３５と、ゲージ台３５に接続された下流側のボールバルブ３６と、下流側のボールバルブ３６に接続された耐圧ホース３７等から構成されている。
【０００４】
また、水圧テスト用ポンプの要部を構成するプランジャーポンプ３２は、図８に示す如く、吸水口３８ａ、吐出口３８ｂ及び水充填口３８ｃを備えたシリンダスタンド３８と、シリンダスタンド３８に取り付けたシリンダパイプ３９と、シリンダパイプ３９内にシールされた状態で上下方向へ往復移動自在に挿入されたプランジャー４０と、プランジャー４０の上端部に上下方向へ揺動自在に連結され、プランジャー４０を上下方向へ往復動させる操作ハンドル４１と、操作ハンドル４１の先端部及びシリンダスタンド３８にそれぞれ揺動自在に連結されたリンク４２と、シリンダスタンド３８の吸水口３８ａに接続されて内部に逆止弁構造の吸水弁４３を設けた筒状の吸水用ケース４４と、シリンダスタンド３８の吐出口３８ｂに設けた逆止弁構造の吐出弁４５とから構成されており、操作ハンドル４１を引き上げ操作してプランジャー４０を上方へ移動させると、シリンダパイプ３９内の減圧作用により吸水弁４３が開いて水槽３０内の水が吸水口３８ａからシリンダパイプ３９内に吸引され、また、操作ハンドル４１を押し下げ操作してプランジャー４０を下方へ移動させると、シリンダパイプ３９内の加圧作用により吸水弁４３が閉じると共に、吐出弁４５が開いてシリンダパイプ３９内の加圧された水が吐出口３８ｂから吐出されるようになっている。
【０００５】
前記水圧テスト用ポンプは、シリンダスタンド３８が水道管の先端部に設けた蛇口に接続可能な水充填口３８ｃを備えているため、配管等の被テスト管と水道管の先端部に設けた蛇口との間に取り付けるだけで、被テスト管への水道水の充填や被テスト管内の加圧を行え、水道水の充填作業や被テスト管の加圧作業を簡単且つ容易に行えるという利点がある。
【０００６】
しかし、上述した従来の水圧テスト用ポンプに於いても、未だ解決すべき問題点が残されている。
【０００７】
即ち、従来の水圧テスト用ポンプは、シリンダスタンド３８の吐出口３８ｂに設けた吐出弁４５に金属製のボール４５ａを用いたボール式逆止弁を使用しているため、この部分のシール性に問題があり、被テスト管の水漏れ検査時にプランジャーポンプ３２側へ水が漏れるのを防止するためにゲージ台３５と吐出弁４５の間にボールバルブ３３を設けなければならなかった。
然も、水圧テスト用ポンプ自体の漏れをテストする際、プランジャーポンプ３２により加圧された水が外部へ排水されないようにゲージ台３５の流出口側にもボールバルブ３６を設けなければならなかった。
その結果、従来の水圧テスト用ポンプは、部品点数が増えてコストの高騰及び構造の複雑化を招くうえ、接続個所が多くなって水漏れを起こし易くなり、被テスト管の水漏れを正確且つ確実に検査することができないという問題があった。
【０００８】
また、従来の水圧テスト用ポンプは、シリンダパイプ３９の内周面とプランジャー４０の外周面との間をＯリング４６によりシールするようにしているが、シリンダパイプ３９の内周面にＯリング溝を形成し、このＯリング溝にＯリング４６を嵌め込んでいるため、Ｏリング溝へのＯリング４６の挿着やＯリング溝からのＯリング４６の取り外しを極めて行い難いという問題があった。
【０００９】
更に、従来の水圧テスト用ポンプは、シリンダスタンド３８の吸水口３８ａに吸水用ケース４４を接続し、この吸水用ケース４４内に逆止弁構造の吸水弁４３を設ける構成としているため、吸水用ケース４４を加工したりしなければならず、この部分の構造が複雑化するという問題があった。
【００１０】
加えて、従来の水圧テスト用ポンプは、プランジャーポンプ３２を取り付けた水槽３０の支持板３１がプランジャーポンプ３２を作動させたときの垂直方向の大きな荷重に耐えられるように略Ｌ字形に折り曲げられているため、水槽３０の支持板３１の加工に手数がかかってコスト高になると云う問題があった。
【先行技術文献】
【特許文献】
【００１１】
【特許文献１】特開２００９−１１５５７０号公報
【発明の概要】
【発明が解決しようとする課題】
【００１２】
本発明は、このような問題点に鑑みて為されたものであり、その目的は、作業性及び取扱性に優れていることは勿論のこと、部品点数を削減できてコストの低減及び構造の簡略化を図れると共に、接続個所が少なくなって水漏れを起こし難くなるうえ、整備・点検を容易に行えるようにした携帯型の水圧テスト用ポンプを提供することにある。
【課題を解決するための手段】
【００１３】
上記目的を達成するために、本発明の請求項１の発明は、水を貯留する水槽に水槽内の水を吸い上げる手動式のプランジャーポンプを取り付け、このプランジャーポンプの吐出口に逆止弁を設けると共に、当該逆止弁に圧力計のゲージ台を接続して成り、前記プランジャーポンプにより加圧した水を被テスト管に送水して被テスト管の水漏れを検査するようにした水圧テスト用ポンプに於いて、前記水槽は、上方を開放したプラスチック製の箱状の水槽本体と、水槽本体の上端部に水平姿勢で固定され、プランジャーポンプが取り付けられる平板状の金属製の支持板とから成り、前記水槽本体内に、水槽本体内の空間を二分割すると共に、前記支持板の外周縁部を水槽本体の側壁とで一緒に支持する支持用垂直壁を一体的に形成し、当該支持用垂直壁に、二分割された水槽本体内の空間を連通する開口を形成し、また、前記逆止弁は、プランジャーポンプの吐出口に着脱自在に接続され、内方に流通孔を形成した隔壁を備えた筒状のバルブ本体と、吐出口の周囲に配置され、バルブ本体により吐出口の周囲に押圧される環状のバルブシートと、バルブシートと吐出口の周囲との間をシールするＯリングと、バルブ本体の隔壁に軸線方向へ移動自在に支持され、バルブシートに当離座してバルブシートの開口を開閉し得る弁体と、バルブ本体の隔壁と弁体との間に介設され、弁体をバルブシートに当座すべく附勢するスプリングとから成り、プランジャーポンプの吸引作用時に閉じ、プランジャーポンプの吐出作用時に開くように構成されていることに特徴がある。
【００１４】
本発明の請求項２の発明は、プランジャーポンプが、水槽に固定されて吸水口及び吐出口並びに水充填口を備えたシリンダスタンドと、シリンダスタンドに起立姿勢で着脱自在に螺着されてプランジャーが挿入されるシリンダパイプと、シリンダパイプ内にシールされた状態で上下方向へ往復移動自在に挿入されたプランジャーと、先端部側がプランジャーの上端部に上下方向へ揺動自在に連結され、プランジャーを上下方向へ往復動させる操作ハンドルと、上端部及び下端部が操作ハンドルの先端部及びシリンダスタンドにそれぞれ揺動自在に連結されたリンクと、シリンダスタンドの吸水口を開閉する吸水弁と、シリンダスタンドの吐出口を開閉する逆止弁とから成り、前記シリンダパイプ及びプランジャーを直径の異なる別のシリンダパイプ及びプランジャーと交換できる構成とし、また、プランジャーの外周面に複数列のＯリング溝を形成し、各Ｏリング溝に嵌め込んだＯリングによりシリンダパイプの内周面とプランジャーの外周面との間をシールするようにしたことに特徴がある。
【００１５】
本発明の請求項３の発明は、シリンダスタンドの内部に、プランジャーポンプの吸引作用時に開き、プランジャーポンプの吐出作用時に閉じる吸水弁を設け、前記吸水弁は、吸水口の周囲に形成した弁座と、シリンダスタンド内に挿入され、弁座に当座又は弁座から離座するボールとから成り、ボールが自重により弁座へ当座するように構成されていることに特徴がある。
【００１６】
本発明の請求項４の発明は、圧力計のゲージ台の流出口にニップルを接続し、当該ニップルの下流側端部にテスト用止水栓を取り付けてニップルを閉塞したことに特徴がある。
【発明の効果】
【００１８】
本発明の請求項１の水圧テスト用ポンプは、プランジャーポンプの吐出口に逆止弁を設け、当該逆止弁が、プランジャーポンプの吐出口に接続され、内方に流通孔を形成した隔壁を備えた筒状のバルブ本体と、吐出口の周囲に配置され、バルブ本体により吐出口の周囲に押圧される環状のバルブシートと、バルブシートと吐出口の周囲との間をシールするＯリングと、バルブ本体の隔壁に軸線方向へ移動自在に支持され、バルブシートに当離座してバルブシートの開口を開閉し得る弁体と、バルブ本体の隔壁と弁体との間に介設され、弁体をバルブシートに当座すべく附勢するスプリングとから成るため、プランジャーポンプ側へ水が漏れるのを確実且つ良好に防止することができる。
その結果、本発明の請求項１の水圧テスト用ポンプは、従来の水圧テスト用ポンプのように逆止弁と圧力計のゲージ台との間にボールバルブを設ける必要がなく、部品点数を削減できてコストの低減及び構造の簡略化を図れると共に、整備・点検も容易に行えるうえ、接続個所も少なくなって水漏れを起こし難くなり、被テスト管の水漏れを正確且つ確実に検査することができる。
又、本発明の請求項１の水圧テスト用ポンプは、水槽が、上方を開放したプラスチック製の箱状の水槽本体と、水槽本体の上端部に水平姿勢で固定され、プランジャーポンプが取り付けられる平板状の金属製の支持板とから成り、前記水槽本体内に、水槽本体内の空間を二分割すると共に、前記支持板の外周縁部を水槽本体の側壁とで一緒に支持する支持用垂直壁を一体的に形成し、当該支持用垂直壁に、二分割された水槽本体内の空間を連通する開口を形成しているため、従来の水圧テスト用ポンプのように金属製の支持板を略Ｌ字形に折り曲げ加工する必要もなく、水槽を比較的簡単且つ容易に作製することができる。
【００１９】
本発明の請求項２〜請求項４の発明は、上記効果に加えて更に次のような優れた効果を奏することができる。
【００２０】
即ち、本発明の請求項２の水圧テスト用ポンプは、プランジャーポンプのシリンダが、水槽に固定されて吸水口及び吐出口並びに水充填口を備えたシリンダスタンドと、シリンダスタンドに着脱自在に螺着されてプランジャーが挿入されるシリンダパイプとから成り、シリンダパイプ及びプランジャーを直径の異なる別のシリンダパイプ及びプランジャーと交換できる構成としているため、内容積の異なる被テスト管の水漏れを検査する際に、プランジャーポンプのシリンダパイプとプランジャーを被テスト管の内容積に応じたシリンダパイプとプランジャーに交換することによって、被テスト管への加圧水の供給や被テスト管内の加圧を短時間で行えることになり、作業性及び取扱性に優れたものとなる。然も、プランジャーポンプの一部の部品を交換するだけで良いため、従来のようにプランジャーポンプの容量が異なる数台の水圧テスト用ポンプを用意しておく必要もなく、大幅なコスト低減を図れる。
また、本発明の請求項２の水圧テスト用ポンプは、シリンダのシリンダスタンドが水道管の先端部に設けた蛇口に接続可能な水充填口を備えているため、水圧テスト用ポンプを被テスト管と水道管の先端部に設けた蛇口との間に取り付けるだけで、被テスト管への水道水の充填や被テスト管内の加圧を行え、水道水の充填作業や被テスト管の加圧作業を簡単且つ容易に行える。
更に、本発明の請求項２の水圧テスト用ポンプは、プランジャーの外周面に複数列のＯリング溝を形成し、各Ｏリング溝に嵌め込んだＯリングによりシリンダパイプの内周面とプランジャーの外周面との間をシールするようにしているため、Ｏリング溝へのＯリングの挿着やＯリング溝からのＯリングの取り外しを簡単且つ容易に行える。
【００２１】
本発明の請求項３の水圧テスト用ポンプは、シリンダスタンドの内部に吸水弁を設け、前記吸水弁を、吸水口の周囲に形成した弁座と、シリンダスタンド内に挿入され、弁座に当座又は弁座から離座するボールとから構成しているため、従来の水圧テスト用ポンプのように内部に逆止弁構造の吸水弁を設けた吸水用ケースをシリンダスタンドの吸水口に接続する必要もなく、従来の水圧テスト用ポンプに比較して構造の簡略化を図れる。
【００２３】
本発明の請求項４の水圧テスト用ポンプは、圧力計のゲージ台の流出口にニップルを接続し、当該ニップルの下流側端部にテスト用止水栓を取り付けてニップルを閉塞するようにしているため、水圧テスト用ポンプ自体の漏れをテストする際に、従来の水圧テスト用ポンプのように圧力計のゲージ台の流出口にボールバルブを設ける必要もなく、従来の水圧テスト用ポンプに比較してより一層構造の簡略化及びコストの低減を図ることができる。
【図面の簡単な説明】
【００２４】
【図１】本発明の実施の形態に係る水圧テスト用ポンプの分解斜視図である。
【図２】水圧テスト用ポンプの正面図である。
【図３】水圧テスト用ポンプの平面図である。
【図４】水圧テスト用ポンプの側面図である。
【図５】水圧テスト用ポンプの要部の断面図である。
【図６】水圧テスト用ポンプの使用状態を示す概略説明図である。
【図７】プランジャーポンプのシリンダパイプ及びプランジャーを直径の異なる別のシリンダパイプ及びプランジャーと交換した水圧テスト用ポンプの要部の断面図である。
【図８】従来の水圧テスト用ポンプの断面図である。
【発明を実施するための形態】
【００２５】
以下、本発明の実施の形態を図面に基づいて詳細に説明する。
図１〜図７は本発明の実施の形態に係る携帯型の水圧テスト用ポンプを示し、当該水圧テスト用ポンプは、スプリンクラー設備の配管や高圧洗浄機の配管等の被テスト管Ｐに着脱自在に接続され、被テスト管Ｐに加圧した水を供給して被テスト管Ｐの水漏れを検査するものであり、水を貯留する水槽１と、水槽１に起立姿勢で取り付けられ、吸水口１２ｃ′及び吐出口１２ｄ′並びに水充填口１２ｅを備えた手動式のプランジャーポンプ２と、プランジャーポンプ２の吐出口１２ｄ′に設けた逆止弁１８に接続した圧力計３のゲージ台４と、圧力計３のゲージ台４のドレン口に接続されたボールバルブ又はコックから成る手動式のドレン用開閉バルブ５と、圧力計３のゲージ台４の流出口に接続されたニップル６と、ニップル６に接続されるテスト用止水栓７又は下流側の耐圧ホース８と、下流側の耐圧ホース８に接続されるユニオン継手９と、プランジャーポンプ２の水充填口１２ｅに接続されたボールバルブ又はコックから成る手動式の給水用開閉バルブ１０と、給水用開閉バルブ１０に接続された上流側の耐圧ホース１１等から構成されている。
【００２６】
前記水槽１は、プラスチック材により一体的に形成された上方が開放された長方形箱状の水槽本体１Ａと、水槽本体１Ａの上端部に水平姿勢で固定され、プランジャーポンプ２が取り付けられる平板状の金属製の支持板１Ｂとから成る。
また、水槽本体１Ａには、水槽本体１Ａ内の空間を二分割すると共に、前記支持板１Ｂの外周縁部を水槽本体１Ａの三つの側壁とで一緒に支持する支持用垂直壁１ａが一体的に形成されている。この支持用垂直壁１ａには、二分割された水槽本体１Ａ内の空間を連通する矩形状の開口１ａ′が形成されている。
更に、支持板１Ｂは、水槽本体１Ａの三つの側壁にまたがる状態で且つ三つの側壁上端及び支持用垂直壁１ａ上端に支持載置されて複数本のネジにより水槽本体１Ａに固定されており、支持板１Ｂの中央部には、プランジャーポンプ２の吸水口１２ｃ′を形成する吸水筒部１２ｃが挿通される貫通穴１ｂが形成されている。
尚、この実施の形態に於いては、水槽本体１Ａを上方が開放された長方形箱状に形成したが、他の実施の形態に於いては、水槽本体１Ａを上方が開放された正方形箱状、円形箱状、楕円形箱状等に形成しても良い。
【００２７】
前記プランジャーポンプ２は、水槽１の支持板１Ｂに固定されて吸水口１２ｃ′及び吐出口１２ｄ′並びに水充填口１２ｅを備えたシリンダスタンド１２と、シリンダスタンド１２に起立姿勢で着脱自在に螺着されたシリンダパイプ１３と、シリンダパイプ１３内にシールされた状態で上下方向へ往復移動自在に挿入されたプランジャー１４と、先端部側がプランジャー１４の上端部に上下方向へ揺動自在に連結され、プランジャー１４を上下方向へ往復動させる操作ハンドル１５と、上端部及び下端部が操作ハンドル１５の先端部及びシリンダスタンド１２にそれぞれ揺動自在に連結されたリンク１６と、シリンダスタンド１２の吸水口１２ｃ′を開閉する吸水弁１７と、シリンダスタンド１２の吐出口１２ｄ′を開閉する逆止弁１８とから成り、操作ハンドル１５を引き上げ操作してプランジャー１４を上方へ移動させると、シリンダパイプ１３内の減圧作用により吸水弁１７が開いて水槽１内の水が吸水口１２ｃ′からシリンダスタンド１２内及びシリンダパイプ１３内に吸引され、また、操作ハンドル１５を押し下げ操作してプランジャー１４を下方へ移動させると、シリンダパイプ１３内及びシリンダスタンド１２内の加圧作用により吸水弁１７が閉じると共に、逆止弁１８が開いてシリンダパイプ１３内及びシリンダスタンド１２内の加圧された水が吐出口１２ｄ′から吐出されるようになっている。
【００２８】
具体的には、前記シリンダスタンド１２は、金属材により一体的に形成されており、水槽１の支持板１Ｂ上面にボルト等により固定される四角板状の台座部１２ａと、台座部１２ａの上面側に連設されて内周面にシリンダパイプ１３の下端部が着脱自在に螺着される雌ネジを形成した上向きの支持筒部１２ｂと、台座部１２ａの下面側に連設されて支持筒部１２ｂ内に連通する吸水口１２ｃ′を形成する下向きの吸水筒部１２ｃと、台座部１２ａ及び支持筒部１２ｂに連設されて支持筒部１２ｂ内に連通する吐出口１２ｄ′を形成する横向きの吐出筒部１２ｄと、支持筒部１２ｂに形成した横向きの水充填口１２ｅと、台座部１２ａ及び支持筒部１２ｂに連設されてリンク１６の下端部が揺動自在に連結されるブラケット１２ｆとを備えている。
また、シリンダスタンド１２の水充填口１２ｅには、ボールバルブやコック等から成る水充填用の給水用開閉バルブ１０が接続されている。この水充填用の給水用開閉バルブ１０の吸入側には、耐圧ホース１１が接続されている。尚、耐圧ホース１１の上流側は、水道管（図示省略）の端部に設けた蛇口１９に接続されるようになっている。
更に、シリンダスタンド１２の吸水筒部１２ｃには、下端部にストレーナ２０を設けた吸水ホース２１が接続されている。
【００２９】
前記シリンダパイプ１３は、金属材により筒状に形成されており、その下端部外周面には、シリンダスタンド１２の支持筒部１２ｂの雌ネジに着脱自在に螺着される雄ネジが形成されている。このシリンダパイプ１３は、雄ネジを形成した下端部をシリンダスタンド１２の支持筒部１２ｂ内にねじ込むことによって、シリンダスタンド１２に起立姿勢で着脱自在に取り付けられており、直径の異なる別のシリンダパイプ１３と交換できるようになっている。
尚、シリンダパイプ１３には、雄ネジを形成した部分の直径が全て同じでその他の部分の直径が異なる数種類のシリンダパイプ１３が用意されている。
【００３０】
前記プランジャー１４は、金属材により円柱状に形成されており、シリンダスタンド１２のシリンダパイプ１３内にＯリング２２によりシールされた状態で摺動自在且つ上下方向へ往復移動自在に挿入されている。
即ち、プランジャー１４の外周面に複数列のＯリング溝１４ａを形成し、各Ｏリング溝１４ａに嵌め込んだＯリング２２によりシリンダパイプ１３の内周面とプランジャー１４の外周面との間をシールするようになっている。
また、プランジャー１４は、その上端部が操作ハンドル１５の先端部側を揺動自在に嵌められるように二股状に形成されており、シリンダパイプ１３と同様に直径の異なる別のプランジャー１４と交換できるようになっている。
尚、プランジャー１４には、上述した数種類のシリンダパイプ１３の直径にそれぞれ対応する直径の異なる数種類のプランジャー１４が用意されている。
【００３１】
前記操作ハンドル１５は、ハンドル部１５ａ及びグリップ部１５ｂから成り、ハンドル部１５ａの先端部側をプランジャー１４の二股部に嵌め込み、プランジャー１４の二股部及びハンドル部１５ａに支持ピン２３を挿着することによって、プランジャー１４の上端部に揺動自在に連結されている。
【００３２】
前記リンク１６は、対称形状の一対のリンク材を重ね合わせてリベット止めすることにより構成されており、その両端部が二股状に形成されている。このリンク１６の上端部は、支持ピン２３により操作ハンドル１５の先端部に揺動自在に連結され、また、リンク１６の下端部は、支持ピン２３によりシリンダスタンド１２のブラケット１２ｆに揺動自在に連結されている。
【００３３】
前記吸水弁１７は、シリンダスタンド１２の内部に設けられており、プランジャーポンプ２の吸引作用時に開き、プランジャーポンプ２の吐出作用時に閉じるようになっている。この吸水弁１７は、吸水口１２ｃ′の周囲に形成した弁座１７ａと、シリンダスタンド１２内に挿入され、弁座１７ａに当座又は弁座１７ａから離座するボール１７ｂとから成り、ボール１７ｂが自重により弁座へ当座するように構成されている。
【００３４】
前記逆止弁１８は、シリンダスタンド１２の吐出口１２ｄ′を形成する吐出筒部１２ｄに着脱自在に螺着され、内方に複数の流通孔２４ａを形成した隔壁２４ｂを備えた筒状のバルブ本体２４と、吐出口１２ｄ′の周囲に配置され、吐出筒部１２ｄに螺着されたバルブ本体２４により吐出口１２ｄ′の周囲に押圧される金属製の環状のバルブシート２５と、バルブシート２５の吐出口１２ｄ′周囲に対向する面に形成したＯリング溝に嵌め込まれ、バルブシート２５と吐出口１２ｄ′の周囲との間をシールするＯリング２２と、バルブ本体２４の隔壁２４ｂに軸線方向へ移動自在に挿通支持され、バルブシート２５に当離座してバルブシート２５の開口を開閉し得る弁体２６と、バルブ本体２４の隔壁２４ｂと弁体２６との間に介設され、弁体２６をバルブシート２５に当座すべく附勢するスプリング２７（コイルスプリング）とから成り、プランジャーポンプ２の吸引作用時に閉じ、プランジャーポンプ２の吐出作用時に開くように構成されている。
また、バルブ本体２４の隔壁２４ｂ中央部には、弁体２６を確実且つ良好に支持できるように支持筒２４ｃが一体的に突出形成されている。
更に、この逆止弁１８のバルブ本体２４の下流側端部には、流入口、流出口、ドレン口、圧力計３の取り付け口を有する十字形の流体通路を形成した圧力計３のゲージ台４が接続されている。
【００３５】
次に、上述した水圧テスト用ポンプ自体の水漏れ及びをこの水圧テスト用ポンプを用いてスプリンクラー設備の配管や高圧洗浄機の配管等の被テスト管Ｐの水漏れを検査する場合について説明する。
【００３６】
先ず、水圧テスト用ポンプ自体の水漏れを検査する場合には、出荷時に取り付けてあるテスト用止水栓を用いてテストを行う。
【００３７】
即ち、テスト用止水栓がしっかり締め付けられているかを確認した後、給水用開閉バルブ１０を閉じると共に、ドレン用開閉バルブ５を開き、水槽１に水を入れる。
【００３８】
この状態でプランジャーポンプ２を作動させてドレン用開閉バルブ５から水を排出し、プランジャーポンプ２内の空気を完全に抜いてからドレン用開閉バルブ５を閉じる。
【００３９】
引き続きプランジャーポンプ２を作動させ、圧力計３を見ながら加圧を行い、圧力計３が所定の圧力に達したら、プランジャーポンプ２の作動を止める。
【００４０】
そして、圧力計３の圧力変化を調べることによって、水圧テスト用ポンプ自体の水漏れを検査することができる。
【００４１】
一方、水圧テスト用ポンプを用いて被テスト管Ｐの水漏れを検査する場合には、先ず、被テスト管Ｐの両端を適宜の手段により閉塞すると共に、被テスト管Ｐに空気抜き用のストップバルブ２８と水充填用のストップバルブ２９とを装着する。
また、水圧テスト用ポンプのプランジャーポンプ２のシリンダパイプ１３及びプランジャー１４を被テスト管Ｐの内容積に応じたものと交換する。
【００４２】
例えば、被テスト管Ｐの内容積が大きい場合には、図７に示す如く、水の供給量が多くなるようにプランジャーポンプ２に直径の大きいシリンダパイプ１３及びプランジャー１４を使用し、また、被テスト管Ｐの内容積が小さい場合には、図５に示す如く、水の供給量が少なくなるようにプランジャーポンプ２に直径の小さいシリンダパイプ１３及びプランジャー１４を使用する。このとき、シリンダスタンド１２とシリンダパイプ１３とをネジ構造により着脱自在としているため、シリンダパイプ１３等の交換を簡単且つ容易に行える。
【００４３】
次に、水圧テスト用ポンプのテスト用止水栓７を外し、ニップル６に下流側の耐圧ホース８の一端部を接続すると共に、下流側の耐圧ホース８の他端部を被テスト管Ｐに装着した水充填用のストップバルブ２ａに接続する。また、上流側の耐圧ホース１１の一端部を給水用開閉バルブ１０に接続すると共に、上流側の耐圧ホース１１の他端部を直接又は送水用ホースを介して水道管の端部に設けた蛇口１９に接続する。
【００４４】
被テスト管Ｐと蛇口１９との間に水圧テスト用ポンプを取り付けたら、ドレン用開閉バルブ５を閉じ、この状態で給水用開閉バルブ１０、被テスト管Ｐに装着した二つのストップバルブ２８，２９をそれぞれ開き、被テスト管Ｐに装着した空気抜き用のストップバルブ２８から被テスト管Ｐ内の空気を抜きながら、水道管内の水道水を上流側の耐圧ホース１１、給水用開閉バルブ１０、プランジャーポンプ２のシリンダスタンド１２、逆止弁１８、ゲージ台４、ニップル６、下流側の耐圧ホース８、水充填用のストップバルブ２９を通して被テスト管Ｐ内に供給する。
【００４５】
被テスト管Ｐ内に水道水が充満して空気抜き用のストップバルブ２８から水道水が放出し始めたら、空気抜き用のストップバルブ２８及び給水用開閉バルブ１０を閉じると共に、水圧テスト用ポンプの水槽１に水を貯留し、この状態でプランジャーポンプ２を作動させて水槽１内の水を加圧して被テスト管Ｐ内に送り込む。
【００４６】
そして、水圧テスト用ポンプの圧力計３が所定の圧力に上昇したら、プランジャーポンプ２の作動を止め、被テスト管Ｐ内の圧力変化を調べることによって、被テスト管Ｐの水漏れを検査することができる。
即ち、被テスト管Ｐ内の圧力が降下しなければ、被テスト管Ｐに水漏れはなく、また、被テスト管Ｐ内の圧力が降下すれば、被テスト管Ｐに水漏れが発生していることが判る。
【００４７】
このように、上述した水圧テスト用ポンプは、プランジャーポンプ２の吐出口１２ｄ′にバルブ本体２４、バルブシート２５、Ｏリング２２、弁体２６及びスプリング２７から成る逆止弁１８を設けているため、プランジャーポンプ２側へ水が漏れるのを確実且つ良好に防止することができるので、従来の水圧テスト用ポンプのように逆止弁１８の下流側にボールバルブを設ける必要がなく、部品点数を削減できてコストの低減及び構造の簡略化を図れると共に、整備・点検も容易に行えるうえ、接続個所も少なくなって水漏れを起こし難くなり、被テスト管Ｐの水漏れを正確且つ確実に検査することができる。
また、水圧テスト用ポンプは、プランジャーポンプ２が水充填口１２ｅを備えているため、水圧テスト用ポンプを被テスト管Ｐと水道管の先端部に設けた蛇口１９との間に取り付けるだけで、被テスト管Ｐへの水道水の充填や被テスト管Ｐ内の加圧を行え、水道水の充填作業や被テスト管Ｐの加圧作業を簡単且つ容易に行える。
【産業上の利用可能性】
【００４８】
本発明は、給・排水用の配管等の被テスト管Ｐの水漏れを検査する他に、タンクや密閉容器、バルブ等の水漏れの検査にも使用できるものである。
【符号の説明】
【００４９】
１は水槽、２はプランジャーポンプ、３は圧力計、４はゲージ台、６はニップル、７はテスト用止水栓、１２はシリンダスタンド、１２ｃ′は吸水口、１２ｄ′は吐出口、１２ｅは水充填口、１３はシリンダパイプ、１４はプランジャー、１４ａはＯリング溝、１５は操作ハンドル、１６はリンク、１７は吸水弁、１７ａは弁座、１７ｂはボール、１８は逆止弁、２２はＯリング、２４はバルブ本体、２４ａは流通孔、２４ｂは隔壁、２５はバルブシート、２６は弁体、２７はスプリング、Ｐは被テスト管。
【図１】
0005396373.tif 000002
【図２】
0005396373.tif 000003
【図３】
0005396373.tif 000004
【図４】
0005396373.tif 000005
【図５】
0005396373.tif 000006
【図６】
0005396373.tif 000007
【図７】
0005396373.tif 000008
【図８】
0005396373.tif 000009